(57)【要約】      （修正有）【課題】維持管理プロセスが操作員の活動と相反しないように、診断機器を動作させるコンピュータ実装方法を提供する。【解決手段】生体試料の受け入れおよび処理、ならびに維持管理活動は、並列活動である。フローチャート上における開始および終了(stop)は、例えば、機器の起動および停止(shutdown)である。ステップ１０２の生体試料受け入れに続き、ステップ１１０における生体試料の処理を行うことと並行して、ステップ１０４において、検出ユニットによって診断機器の近傍において人間の活動を検出する。続くステップ１１２において、診断機器の使用確率が使用確率閾値よりも低い場合、維持管理プロセスを実行する。検出された活動との相反の回避は、診断機器の使用確率が使用確率閾値よりも高い場合、診断機器が維持管理プロセスの実行を中断することによって行われる。【選択図】図１
2020180966.tif 000002
【特許請求の範囲】
【請求項１】
生体試料における１つ以上の検体（１つまたは複数）の存在、不在、および／または濃度を判定するために、前記生体試料に対して１つ以上の分析処理ステップを実行するように構成された分析ユニット（１２）を備える生体試料分析用診断機器（１）の動作方法であって、
−検出ユニット（１４）によって前記診断機器（１）の近傍における活動を検出するステップであって、活動が、前記診断機器（１）の近傍における操作員の存在および／または動き、および／または操作員による前記診断機器（１）の操作を含む、ステップと、
−前記検出ユニット（１４）の信号をプロセッサ（１６）によって処理し、前記診断機器（１）の使用確率を判定するステップであって、前記使用確率が前記診断機器（１）の近傍における活動に直接比例する、ステップと、
−前記診断機器（１）が、前記活動と相反しないように、維持管理プロセスを実行するステップであって、前記診断機器（１）の使用確率が、使用確率閾値よりも高い場合に、維持管理プロセスが前記活動と相反する、ステップと、
を含む、方法。
【請求項２】
請求項１記載の方法であって、更に、前記診断機器（１）の使用確率が使用確率閾値よりも高い場合、前記診断機器が維持管理プロセスを中断および／または延期するステップを含む、方法。
【請求項３】
請求項１または２記載の方法であって、更に、
−前記検出ユニット（１４）の信号に基づいて、前記プロセッサ（１６）が活動パターンを判定するステップであって、前記活動パターンが、特定の時点（１つまたは複数）および／または特定の時間間隔における使用確率を示す、ステップと、
−前記維持管理プロセスを実行することが予定された時点における前記診断機器（１）の使用確率が使用確率閾値よりも低くなるように、前記診断機器（１）が、予測所要時間が閾値所要時間よりも長い第２種の維持管理プロセスを予定に入れるステップと、
−前記診断機器（１）が、予定された通りに前記維持管理プロセスを実行するステップと、
を含む、方法。
【請求項４】
請求項３記載の方法であって、更に、
−前記プロセッサ（１６）が、前記機器周囲における活動を、
−活動が前記診断機器（１）の操作を含む場合、第１活動グループと、
−前記検出された活動が前記診断機器（１）の近傍における存在および／または動きを含むが、前記診断機器（１）の操作を含まない場合、第２活動グループと、
に分類するステップを含み、
−前記第１グループの活動に対応する前記診断機器（１）の使用確率が、前記第２グループの活動に対応する前記診断機器（１）の使用確率よりも高く設定される、方法。
【請求項５】
請求項４記載の方法であって、更に、
−前記プロセッサ（１６）が、前記第２活動グループと繰り返し関連付けられる検出可能な特性を判定するステップと、
−前記第２活動グループと繰り返し関連付けられる前記特性を有する前記第２グループの活動の以後の検出を無視して、前記診断機器（１）の使用確率を設定するステップと、
を含む、方法。
【請求項６】
請求項５記載の方法において、前記特性が、
−前記検出された活動と関連付けられた人の衣服／制服の特定の色および／または形、
−前記検出された活動と関連付けられた人の顔面特徴、
を含む、方法。
【請求項７】
請求項４から６までのいずれか１項記載の方法であって、更に、特定の時点（１つまたは複数）および／または特定の時間間隔において操作員の介入を必要とする維持管理プロセスを予定に入れるステップを含み、前記第２活動グループの確率が操作員存在確率閾値よりも高い、方法。
【請求項８】
請求項３から７までのいずれか１項記載の方法において、活動パターンを判定する前記ステップが、
−所定の時間間隔で前記検出ユニット（１４）を使用して活動を検出するステップと、
−各時間間隔において検出された活動の平均百分率として、特定の時間間隔における使用確率を計算するステップ、
−前記診断機器（１）の近傍における使用確率が集中使用閾値よりも高いときの時間間隔を識別し、前記集中使用閾値よりも高い時間間隔よりも前の時点において、前記診断機器（１）の維持管理プロセスを前もって予定に入れるステップ、
の内１つ以上を含む、方法。
【請求項９】
請求項３から８までのいずれか１項記載の方法において、前記活動パターンの使用確率が、前記診断機器の維持管理プロセスの完了直後に機器操作が検出された特定の時間（１つまたは複数）および／または時間間隔（１つまたは複数）に対して高められる、方法。
【請求項１０】
請求項３から９までのいずれか１項記載の方法において、活動パターンを判定する前記ステップが、
−操作員作業スケジュールを（データベースから）引き出すステップ、
−前記操作員作業スケジュールと検出された活動との間の相関を判定するステップ、
−前記相関付けに基づいて、作業スケジュール全体に活動を外挿補間するステップ、
の内１つ以上を含む、方法。
【請求項１１】
請求項３から１０までのいずれか１項記載の方法であって、更に、
−第１予測所要時間を有する第１種維持管理プロセス、および第２予測所要時間を有する第２種維持管理プロセスの維持管理プロセス間で区別するステップであって、前記第２所要時間が前記第１所要時間よりも長いステップと、
−前記診断機器（１）の使用確率が、前記第１種の維持管理プロセスを実行することが予定された時点において、第１使用確率閾値よりも低くなるように、前記診断機器（１）が第１種の維持管理プロセスを予定に入れるステップと、
−前記診断機器（１）の使用確率が、前記第２種の維持管理プロセスを実行することが予定された時点において、第２使用確率閾値よりも低くなるように、前記診断機器（１）が第２の維持管理プロセスを予定に入れるステップと、
を含み、
前記第２使用確率閾値が前記第１使用確率閾値よりも低い、方法。
【請求項１２】
請求項３から１１までのいずれか１項記載の方法であって、更に、
−複数の診断機器（１．１〜１．ｎ）の近傍において活動を検出するステップと、
−中央制御ユニット（６０）が、前記複数の診断機器（１．１〜１．ｎ）に関して検出された活動を処理することによって、活動パターンを判定するステップと、
−前記中央制御ユニット（６０）が、診断機器（１．１〜１．ｎ）の全てが同時に維持管理プロセスを実行していることを回避するように、前記複数の診断機器（１．１〜１．ｎ）の維持管理プロセスを予定に入れるステップと、
を含む、方法。
【請求項１３】
生体試料を分析する診断機器（１）であって、
−生体試料における１つ以上の検体（１つまたは複数）の存在、不在、および／または濃度を判定するために、前記生体試料に対して１つ以上の分析処理ステップを実行するように構成された分析ユニット（１２）と、
−前記診断機器（１）の近傍における存在、動き、および／または活動を検出するように構成された検出ユニット（１４）と、
請求項１から１２のいずれか１項記載の方法を実行するように構成された制御ユニット（１６）と、
を備える、診断機器。
【請求項１４】
請求項１３記載の診断機器（１）において、前記検出ユニット（１４）が、
−動きセンサ、
−近接センサ、
−画像／ビデオ・キャプチャ・デバイス＋画像分析、
−光強度センサ、
−マイクロフォン、
−前記診断機器（１）のユーザ・インターフェースへの接続、
の内１つ以上を備える、診断機器（１）。
【請求項１５】
命令を含むコンピュータ・プログラム製品であって、前記命令が診断機器（１）のプロセッサによって実行されると、請求項１から１２のいずれか１項記載の方法のステップを前記診断機器（１）に実行させる、コンピュータ・プログラム製品。
【発明の詳細な説明】
【技術分野】
【０００１】
[0001]  本願は、診断機器、特に、試験管内診断機器のコンピュータ実装動作方法に関する。更に、本願は、この開示する方法を実行するように構成された診断機器に関する。更に、本願は、命令を含み、この命令が診断機器のプロセッサによって実行されると、開示する方法をこのプロセッサに実行させるコンピュータ・プログラム製品に関する。
【背景技術】
【０００２】
[0002]  試験管内診断検査は、臨床判断に大きな効果があり、中枢となる情報を医師に提供する。診断機器、特に、試験管内診断機器は、患者の生理学的および生物化学的状態を判定するために、生体試料に対する多数の分析を実行し、患者の状態は、疾病、栄養習慣、薬剤の有効性、臓器機能等を示すことができる。
【０００３】
[0003]  １つの診断検査の分野は、実験室における日常的な分析機器によって行われる。これらの機器は、このような機器を維持管理し操作する教育を受けた操作員によって操作される。
【０００４】
[0004]  他の診断検査の分野には、ポイント・オブ・ケア検査(point of care testing)、即ち、ベッドサイド検査(bedside testing)がある。この種の診断検査は、主に、病院、救急部門、集中治療室、初期治療機関(primary care setting)、医療センタ、患者の自宅、医者の事務所、薬局、または救急現場というような、患者処置の現場において入手可能な機器を操作するように主に訓練された看護師または医局員によって行われる。
【０００５】
[0005]  多くの場合、ポイント・オブ・ケア検査は、救命救急において短い応答時間が求められるという臨床要件および実験室要件を満たす必要がある。迅速な処理を要するパラメータ（例えば、血糖、心臓マーカ、血中ガス等）を素早く判断することにより、救急室、集中治療室、または初期治療機関においても、意志決定を加速することができる。ポイント・オブ・ケア検査は、世界中で定着しており、公衆衛生において重要な役割を得た。ポイント・オブ・ケア検査の潜在的な動作上の利点には、意志決定の迅速化、操作時間の短縮、術後の処置時間短縮、救急室滞在時間の短縮、外来患者来院回数減少、必要な病院のベッド数減少、および職務時間の総合的な最適使用が含まれる。
【０００６】
[0006]  ポイント・オブ・ケア診断機器の出力を直ちに入手可能にすると、大きな利点が得られる。応答時間（ＴＡＴ：turnaround time）を短縮することによって、医療チームの全てのメンバーと瞬時に結果を共有し、意思疎通を改善することができる。
【０００７】
[0007]  しかしながら、品質管理、較正、システム更新というような維持管理および日常的活動によって、ポイント・オブ・ケア診断機器の利用可能性が損なわれることが多いことが観察されている。このような活動の間、診断機器は、患者の生体試料の診断検査に利用することができず、応答時間の増大／結果の遅れに繋がる。このような維持管理活動の頻度および／または所要時間(duration)を減らすための努力がなされてきたが、それでもなお、ポイント・オブ・ケア診断機器の利用可能性／迅速性(readiness)に対して相当な／非常に大きな影響があることに変わりはない。
【０００８】
[0008]  したがって、患者の生体試料の診断検査のためのポイント・オブ・ケア診断機器の利用可能性／迅速性を改善する、ポイント・オブ・ケア診断機器の動作方法、診断機器、および診断機器用のコンピュータ・プログラム製品がそれぞれ求められている。
【発明の概要】
【０００９】
[0009]  本明細書において開示する実施形態は、維持管理活動は統計的に比較的小さい時間量しか診断機器を占めないにも拘わらず、ユーザはこのような作業が彼らの活動に対して大きな影響を及ぼすと報告しているという観察から得られた。維持管理活動の頻度および所要時間に加えて、維持管理活動のタイミングも、ポイント・オブ・ケア診断機器の感覚利用可能性 (perceived availability)／迅速性に対しても大きな影響を及ぼすことが確認されている。例えば、ユーザが盛んに診断機器を使用している間または盛んに使用しようとしている間に維持管理活動が実行される場合、この維持管理活動が短い所要時間であっても、ユーザはこの維持管理活動が彼／彼女の作業に大きな影響を及ぼすと感じる。他方において、診断機器が使用されそうもないとき（例えば、昼食の休み時間、夜勤）に行われる維持管理活動は、客観的にこれらが同じ時間量を要するという事実にも拘わらず、機器の利用可能性に対して感じられる影響は少なくなる。本明細書において開示する実施形態は、診断機器が使用されていないときまたは使用されていそうにないときに診断機器の維持管理活動を予定に入れるように心掛ける(aiming)ことによって、診断機器の感覚利用可能性を高める必要性に対処する。したがって、維持管理活動に必要とされる時間は影響を受けないが、維持管理活動がユーザに及ぼす影響の度合いは低下し、したがって、診断機器の感覚利用可能性は高められる／向上する。
【００１０】
[0010]  開示する方法の実施形態は、検出ユニットによって診断機器の近傍における活動を検出することにより、以上で確認した必要性に対処する。活動(activity)には、診断機器の近傍における存在および／または動き、および／または操作員による診断機器の操作が含まれる。次いで、検出ユニットの信号がプロセッサによって処理され、診断機器の使用確率を判定する。使用確率は、診断機器の近傍における活動に直接比例する。次いで、診断機器は、前記活動と相反しないように維持管理プロセスを実行する。維持管理プロセスが活動と相反するのは、診断機器の使用確率が使用確率閾値よりも高い場合である。前記活動と相反しないような維持管理プロセスの実行は、診断機器の使用確率が使用確率閾値よりも高い場合、診断機器が維持管理プロセスを中断および／または延期することによって行われる。
【００１１】
[0011]  本明細書において開示する他の実施形態によれば、プロセッサは、検出ユニットの信号に基づいて活動パターンを判定し、活動パターンは、特定の時点（１つまたは複数）および／または特定の時間間隔における使用確率を示す。特定の時点（１つまたは複数）および／または特定の時間間隔における使用確率は、過去の同じ時間／時間間隔に検出された活動、例えば、同じ時間内、平日の同じ時間、同じ曜日にそれぞれ検出された活動に比例する。所要時間が更に長い維持管理プロセスが前もって予定されていても、機器の感覚利用可能性を低下させないことを確保するために、診断機器は、次に、活動パターンと相反しないように、予測される所要時間が閾値所要時間よりも長い第２種の維持管理プロセスを予定に入れる。維持管理プロセスが活動パターンと相反するのは、維持管理プロセスを実行することが予定された時点における診断機器の使用確率が使用確率閾値よりも高い場合である。したがって、診断機器が、予定された時点／時間間隔において維持管理プロセスを実行するとき、機器を使用しなければならない確率は、設定された閾値未満となる。
【００１２】
[0012]  本明細書において開示する更に他の実施形態によれば、複数の診断機器のネットワークが、複数の診断機器の近傍における活動を検出するために、通信可能に接続される。全ての機器が維持管理プロセスを実行していることを避けるために、そして少なくとも１つの機器が患者の試料（１つまたは複数）を分析するために利用可能であることを確保するために、複数の診断機器の維持管理プロセスは、全ての診断機器が同時に維持管理プロセスを実行していることを回避するように、異なる時間／時間間隔に予定される。
【図面の簡単な説明】
【００１３】
[0013]  開示する方法／デバイス／システムの更に他の特徴および利点について、以下に、本明細書の記載によってそして以下の図面を参照することによって、詳細に説明する。
【図１】本明細書において開示する方法の第１実施形態を示すフローチャート。
【図２】本明細書において開示する方法の他の実施形態を示すフローチャート。
【図３】本明細書において開示する方法の実施形態による、活動の検出、活動パターンの判定、ならびに長期間活動の予定および操作員の介入を必要とする活動の予定を示すタイムライン。
【図４】本明細書において開示する方法の実施形態にしたがって、実験室設定における使用事例に特定して、活動および活動パターンの検出を示すタイムライン。この場合、機器の近傍における存在が、その機器を使用する必要性を示す。
【図５】本明細書において開示する方法の更に他の実施形態にしたがって、患者のベッドサイド設定における使用事例に特定して、活動および活動パターンの検出を示すタイムライン。この場合、機器の近傍における存在が、その機器を使用する必要性を必ずしも示さない。
【図６】本明細書において開示する方法の更に他の実施形態にしたがって、医者の事務所の設定における使用事例に特定して、活動および活動パターンの検出を示すタイムライン。この場合、例えば、開始した検査を完了するために、存在を超えて(beyond presence)機器が使用されることもある。
【図７】１週間の曜日に基づいて、活動および活動パターンの検出を示すタイムライン。この場合、土曜日には使用が減少し、日曜日には使用されないことを示す。
【図８】複数の診断機器および時差(staggered)維持管理予定策定における活動および活動パターンの検出を示すタイムライン。
【図９】開示する診断機器の実施形態の非常に概略的な図。
【図１０】開示する分析システムの実施形態の非常に概略的なブロック図。
【発明を実施するための形態】
【００１４】
[0014]  本特許出願明細書では、特定の用語が使用されるが、その明確な語句(formulation)が、特定の選択された用語によって限定されるように解釈してはならず、その特定の用語の背後にある一般的な概念に関係するように解釈してしかるべきである。
【００１５】
[0015]  「試料」(sample)、「患者試料」(patient sample)および「生体試料」(biological sample)という用語は、潜在的に対象の検体を含有する可能性がある材料（１つまたは複数）を指す。患者試料は、血液、唾液、眼球水晶体液、脳脊髄液、汗、尿、排泄物、精液、母乳、腹水、粘液、滑液、腹膜液、羊水、組織、培養細胞等を含む、生理液のような、任意の生体供給源から得ることができる。患者試料は、血液から血漿を調製する、粘性流体を希釈する、溶解等というように、使用前に前処置することができる。処置方法は、ろ過、蒸留、濃縮、干渉成分の不活性化、および試薬の添加を伴うことができる。患者試料は、供給源から得られたまま直接使用されてもよいが、試料の特性を変更する前処置の後に使用されてもよい。ある実施形態では、最初は固体または半固体の生物学的物質を、適した液体媒体に溶解または懸濁することによって液状にすることができる。ある実施形態では、試料が特定の抗原または核酸を含有すると推察することができる。
【００１６】
[0016]  「検体」(analyte)という用語は、分析される試料の成分、例えば、種々のサイズの分子、イオン、たんぱく質、代謝物等を指す。検体について収集された情報は、生体(organism)または特定の組織に対する薬物の投与の影響を評価するため、あるいは診断を行うために使用することができる。つまり、「検体」とは、存在、不在、および／または濃度についての情報を得ようとする対象の物質に対する一般的な用語である。検体の例には、例えば、グルコース、凝固パラメータ、内因性タンパク質（例えば、心筋から放出されたタンパク質）、代謝物、核酸、イオン、ガス等がある。
【００１７】
[0017]  「分析」(analysis)または「分析検査」(analytical test)という用語は、本明細書において使用する場合、検体の存在または量または機能活性を定性的に評価するためあるいは定量的に測定するために、生体試料のパラメータを特徴付ける実験室手順を包含する。
【００１８】
[0018]  「試薬」(reagent)という用語は、本明細書において使用する場合、検体の分析を実行するために必要な材料を指し、試料調合のための試薬、対照試薬、検出可能な信号を得るために検体と反応するための試薬、および／または検体を検出するために必要な試薬を含む。このような試薬は、検体を分離するための試薬、および／または試料を処理するための試薬、および／または検体と反応して検出可能な信号を得るための試薬、および／または洗浄試薬、および／または希釈液を含んでもよい。
【００１９】
[0019]  「試薬カセット」(reagent cassette)という用語は、本明細書において使用する場合、液体または懸濁液の試薬を含む任意のベッセル／コンテナを指す。あるいは、試薬カセットは、液体または懸濁液の試薬を含むコンテナ（１つまたは複数）を保持するホルダである。
【００２０】
[0020]  「品質管理」(quality control)または「分析品質管理」(analytical quality control)という用語は、実験室分析（分析検査）の結果に一貫性があり、比較可能であり、精度が高く、指定された正確度(precision)限界の範囲内にあることを確証するために設計された全てのプロセスおよび手順を指す。
【００２１】
[0021]  「品質管理」ＱＣ材料(quality control QC material)という用語は、本明細書において使用する場合、陽性および陰性対照のように、検体の濃度が分かっている任意の組成(composition)を指し、分析検査が首尾良く行われ、診断用分析検査の技術的最適化および有効性判断の間に特徴化されるような、予測感度および特異性レベルを与えているという証拠を与える目的を果たす。言い換えると、「品質管理」は、本開示においては、アナライザの特定の検査またはアッセイの実行を監視するために１つまたは様々な監視プロセスにおいて使用される物理試料を指すものとして使用される。陽性対照は、主に、システムの較正および感度を監視する。陰性対照は、主に、分析検査の特定性を評価して、擬陽性結果を識別するために使用される。
【００２２】
[0022]  「診断機器」／「分析機器」(diagnostic instrument/analytical instrument)という用語は、本明細書において使用する場合、生体試料に対して１つ以上の分析プロセス・ステップを実行することによって、生体試料における１つ以上の検体（１つまたは複数）の存在、不在、および／または濃度を判定するように構成された任意の装置または装置のコンポーネントを包含する。診断機器は、種々の化学的、生物学的、物理的、光学的、またはその他の技術的手順によって、試料またはその成分のパラメータ値を決定するように動作可能である。診断機器は、前述の試料または少なくとも１つの検体の前記パラメータを測定し、得られた測定値を返すように動作可能であってもよい。アナライザから返される可能性のある分析結果のリストは、限定ではなく、試料中の検体濃度、試料中の検体の存在を示すディジタル（はい、またはいいえ）結果（検出レベルを上回る濃度に対応する）、光学的パラメータ、ＤＮＡまたはＲＮＡ配列、タンパク質または代謝物の質量分析から得られたデータ、および様々な種類の物理的または化学的パラメータを含む。診断機器は、試料および／または試薬のピペット操作(pipetting)、分与、および混合を補助するユニットを含むことができる。診断機器は、アッセイを行うために試薬を保持するための試薬保持ユニットを含んでもよい。試薬は、例えば、個別の試薬または１群の試薬を収容するコンテナまたはカセットの形態で配置され、保管区画またはコンベヤ内の該当する受容部または位置に置かれてもよい。これは、消耗品の供給ユニットを含んでもよい。診断機器は、そのワークフローが特定の種類の分析に対して最適化された処理および検出システムを含むことができる。このような診断機器の例には、化学反応または生体反応の結果を検出するため、あるいは化学反応または生体反応の進行を監視するために使用される、臨床化学アナライザ、凝集化学アナライザ、免疫化学アナライザ、尿アナライザ、核酸アナライザがある。
【００２３】
[0023]  「維持管理プロセス」(maintenance process)という用語は、本明細書において使用する場合、機器を動作状態に保ちそして予測されるパラメータの範囲内に保ち、規制、順守、および品質仕様を満たすために、診断機器に対して実行しなければならない任意の活動を指す。維持管理プロセスは、品質管理手順、較正プロセス、機器更新（ＳＷ）、試薬、品質制御または較正材料(calibrator material)等 のような消耗品の装填を含むが、これらに限定されるのではない。
【００２４】
[0024]  「プロセッサ」(processor)という用語は、本明細書において使用する場合、ワークフロー（１つまたは複数）およびワークフロー・ステップ（１つまたは複数）が実験室機器／システムによって行われるように、実験室機器または１つ以上の実験室機器を備えるシステムを制御するように構成可能な任意の物理または仮想処理デバイスを包含する。制御ユニットは、例えば、実験室機器／システムに、分析前、分析後、および分析ワークフロー（１つまたは複数）／ワークフロー・ステップ（１つまたは複数）を実行するように、そして維持管理プロセスを実行するように命令することができる。プロセッサは、データ管理ユニットから、特定の試料にはどのステップを実行する必要があるかに関する情報を受けることができる。
【００２５】
[0025]  「通信ネットワーク」(communication network)という用語は、本明細書において使用する場合、ＷｉＦｉ（商標）、ＧＳＭ（商標）、ＵＭＴＳ、または他の無線ディジタル・ネットワークのような任意の種類の無線ネットワーク、あるいはイーサネット（商標）等のケーブルに基づくネットワークを包含する。具体的には、通信ネットワークはインターネット・プロトコル（ＩＰ）を実装することができる。例えば、通信ネットワークは、ケーブルに基づくネットワークと無線ネットワークとの組み合わせを含む。
【００２６】
[0026]  「ユーザ・インターフェース」(user interface)という用語は、本明細書において使用する場合、操作員と機械との間における相互作用のための任意の適したソフトウェアおよび／またはハードウェアを包含し、操作員からのコマンドを入力として受け、更に操作員にフィードバックを与え情報を伝えるグラフィカル・ユーザ・インターフェースを含むが、これに限定されるのではない。また、システム／デバイスは、異なる種類のユーザ／操作員に供するために、様々なユーザ・インターフェースを露出することができる。
【００２７】
[0027]  これより、開示する方法について更に詳しく説明する。
[0028]  ここで開示するのは、生体試料を分析するための診断機器の動作方法である。診断機器は、生体試料における１つ以上の検体（１つまたは複数）の存在、不在、および／または濃度を判定するために、生体試料に対して１つ以上の分析処理システムを実行するように構成された分析ユニットを含む。
【００２８】
[0029]  図１は、開示する方法の第１実施形態を示し、機器の周囲において現在検出されている活動と相反しないように、この機器が維持管理活動を実行する。図１に示すように、生体試料の受け入れおよび処理、ならびに維持管理活動は、（全体として）並列活動である。フローチャート上における開始および終了(stop)は、例えば、機器の起動および停止(shutdown)である。ステップ１０２の生体試料受け入れ、およびステップ１１０における生体試料の処理は、それぞれの機器に特定的であるが周知であるので、これらはステップについてこれ以上詳しく説明しない。何故なら、本明細書において開示する発明の概念は、あらゆる種類の診断機器に適用可能であるからである。
【００２９】
[0030]  ステップ１０４において、検出ユニットによって診断機器の近傍において人間の活動を検出する。活動は、診断機器の近傍における人の存在および／または動き、および／または操作員による診断機器の操作を含む。このコンテキストでは、近傍とは、例えば、機器と同じ室内における存在または動きのように、数センチメートルから数メートルまでの任意の場所を含むように理解されるものとする。その後、検出ユニットの信号を機器のプロセッサによって処理し、診断機器の使用確率を判定する。使用確率は、診断機器の近傍における活動に直接比例するものとして計算される。例えば、使用確率は、検出された活動のレベルに比例する百分率として計算される。例えば、最後の１０分間に５回動きが検出された場合、１分の時間間隔における５０％の使用確率に換算される。所要時間(duration)が更に長い維持管理プロセスについては、更に長い時間間隔が考慮される。例えば、１時間の間に５回動きが検出された場合、機器の使用確率は「高い」と見なされ、３回の場合「中位」と見なされ、１回の動きが検出された場合、機器の使用確率は「低い」と見なされる。
【００３０】
[0031]  続くステップ（１つまたは複数）１１２において、診断機器は、前記活動と相反しないように、この診断機器の使用確率が使用確率閾値よりも低い場合、維持管理プロセスを実行する(carries out/executes)。言い換えると、診断機器の使用確率が使用確率閾値よりも高い場合、維持管理プロセスは活動と相反する。以上の例を続けると、維持管理プロセスは、使用確率（検出された活動に基づく）が２０％よりも低い、または「中位」よりも低い場合、機器によって開始／継続される。
【００３１】
[0032]  一方、検出された活動との相反の回避は、診断機器の使用確率が使用確率閾値よりも高い場合、診断機器が維持管理プロセスの実行を中断することによって行われる。機器が維持管理活動を中断できるか否かは、それぞれの維持管理活動の性質および進展に左右される。通常、機器が動作状態であり続けることを確保するために、終盤における中断は可能ではない。
【００３２】
[0033]  他方で、検出された活動との相反の回避は、診断機器の使用確率が使用確率閾値よりも高い場合、診断機器が維持管理プロセスを延期することによって行われる。延期が実行されるのは、機器の正しい動作が確保できる場合のみであり、例えば、較正が有効であり続ける場合のみである。延期の期間は、予測される維持管理の所要時間およびその緊急性によって異なる。
【００３３】
[0034]  これより図２に移り、開示する方法の他の実施形態について説明する。この実施形態は、
−検出された活動と相反しないように、維持管理プロセスを実行することと、
−判定された活動パターンと相反しないように維持管理プロセス（第２種−所要時間が更に長い）を予定に入れることと、
を組み合わせる。
【００３４】
[0035]  図２に示すように、ステップ１０６において、プロセッサは、検出ユニットの信号に基づいて活動パターンを判定する。活動パターンは、その時点ではなく、特定の時点（１つまたは複数）および／または特定の時間間隔における機器の使用確率を示す。
【００３５】
[0036]  本明細書において開示する実施形態によれば、活動パターンの判定は繰り返し／学習プロセスであり、活動パターンは、活動が検出される毎に、増々正確になる。種々の使用事例によれば、活動パターンは、各時間の特定の分、特定の時間、特定の曜日等における機器の使用確率を示す。
【００３６】
[0037]  ステップ１０８において、診断機器は、活動パターンと相反しないように、予測所要時間が閾値所要時間よりも長い第２種の維持管理プロセスを予定に入れる。ここで、維持管理プロセスが活動パターンと相反するのは、維持管理プロセスを実行することが予定された時点における診断機器の使用確率が使用確率閾値よりも高い場合である。
【００３７】
[0038]  ステップ１２２において、診断機器は、予定した通りに維持管理プロセスを実行する。
[0039]  このような実施形態は、より素早い維持管理活動およびより長い維持管理活動の双方の最適な実行を可能にし、これらの維持管理活動を前もって予定に入れることができるので、特に有益である。
【００３８】
[0040]  更に、本明細書において開示する実施形態によれば、活動パターンを判定するステップは、以下のステップの内１つ以上を含む。
−所定の時間間隔で検出ユニットを使用して活動を検出するステップ、
−特定の時間間隔における使用確率を、各時間間隔において検出された活動の平均(average or mean)百分率として計算するステップ、
−診断機器の近傍における使用確率が集中使用閾値(intensive use threshold)よりも高い時間間隔を識別し、集中使用閾値よりも高い時間間隔よりも前の時点において、診断機器の維持管理プロセスを前もって予定に入れるステップ。
【００３９】
集中使用は、例えば、緊急室または手術室を含み、最大間隔(maximum interval)が経過する前に特定の維持管理活動が予定されることを意味するとしても、維持管理活動が分析検査を遅らせないことが重要である。
【００４０】
[0041]  本明細書において開示する更に他の実施形態によれば、診断機器の維持管理プロセスの完了直後に機器の動作が検出された特定の時間（１つまたは複数）および／または時間間隔（１つまたは複数）については、活動パターンの使用確率が上げられる。何故なら、維持管理プロセスの完了直後における機器動作は、恐らく誰かが維持管理プロセスの完了を待たなければならなかったことを示すからである。
【００４１】
[0042]  特定的な健康管理の環境の特異性(particulars)から学習し、これらに適合するために、更に他の実施形態によれば、活動パターンを判定するステップは更に以下のステップの内１つ以上を含む。
【００４２】
−操作員作業スケジュールを（データベースから）引き出すステップ。作業スケジュールは、操作員が作業中である時間間隔、または勤務時間外である時間間隔を示す。更に、作業スケジュールは、予定されている手術、維持管理プロセスが機器の使用を妨げてはならない時間間隔も含むことができる。
【００４３】
−操作員作業スケジュールと検出された活動との間の相関を判定するステップ。
例えば、多くの操作員が勤務時間外である場合、機器の使用確率は低くなる。
−前記相関に基づいて、作業スケジュール全体に活動を外挿補間するステップ。
【００４４】
このようなことは、作業スケジュールに関するデータを完全なものにする場合に有利である。
[0043]  維持管理プロセスは所要時間が異なり、異なる時間にわたって機器が利用できなくなる可能性があるので、本明細書において開示する実施形態によれば、前述の方法は、更に、第１予測所要時間を有する第１種の維持管理プロセスおよび第２予測所要時間を有する第２種の維持管理プロセスの維持管理プロセス間で、維持管理プロセスを区別するステップを含み、第２所要時間は第１所要時間よりも長い。ここで、
−第１種の維持管理プロセスを実行することが予定された時点において、診断機器の使用確率が第１使用確率閾値よりも高い場合、第１種の維持管理プロセスは活動パターンと相反する。
【００４５】
−第２種の維持管理プロセスを実行することが予定された時点において、診断機器の使用確率が第２使用確率閾値よりも高い場合、第２種の維持管理プロセスは活動パターンと相反する。第２使用確率閾値は、第１使用確率閾値よりも低い。
実例：
[0044]  特定的な実験室では、以下の維持管理活動を定期的に実行する必要がある。
【００４６】
−１点機器較正
所要時間：３分
頻度：１時間毎
−２点機器較正
所要時間：７分
頻度：１２時間毎
−システム較正
所要時間：１５分
−頻度：２４時間毎
このような機器に対して、本明細書において開示する実施形態は、
−現在検出されている活動に基づく診断機器の使用確率が使用確率閾値よりも高く、最後の１点較正が１時間以内に行われた場合、１点較正を中断および／または延期する。
【００４７】
−最後の２点較正から１２時間が経過する前の１時間の時間間隔における活動パターンに基づいて、「典型的な」活動と相反しないように、１２時間の期間におけるある時点において２点較正を予定に入れる。
【００４８】
−最後のシステム較正から２４時間が経過する前の２時間の時間間隔における活動パターンに基づいて、「典型的な」活動と相反しないように、２４時間の期間におけるある時点においてシステム較正を予定に入れる。
【００４９】
[0045]  本明細書において開示する更に他の実施形態によれば、プロセッサは、機器周囲の活動を次のグループに分類する。
−活動が診断機器の操作（実際の使用）を含む場合、第１活動グループ、
−検出された活動が診断機器の近傍における存在および／または動きを含むが、診断機器の操作を含まない場合、第２活動グループ。
【００５０】
第１グループの活動に対応する診断機器の使用確率は、第２グループの活動に対応する診断機器の使用確率よりも高く設定される。
[0046]  図３は、活動パターンの判定、ならびに長い所要時間の活動の予定および操作員の介入を必要とする活動の予定の例を示す。図３に示すように、開示する方法の更に他の実施形態は、更に、特定の時点（１つまたは複数）および／または特定の時間間隔において、操作員の介入を必要とする維持管理プロセスを予定に入れるステップを含み、第２活動グループの確率が操作員存在確率閾値よりも高い。
【００５１】
[0047]  更に、本明細書において開示する更に他の実施形態によれば、プロセッサは、更に、機器に向かう動きと機器から遠ざかる動きとの間で区別することができ、使用確率は前者の場合における方が高い。
【００５２】
[0048]  異なる使用事例の具体的な例について、これより図４から図６を参照しながら説明する。
[0049]  図４は、実験室設定における使用事例に特定的な活動および活動パターンの検出のタイムラインを示す。機器の近傍における存在は、その機器を使用する必要性の指示となる。
【００５３】
[0050]  図５は、患者のベッドサイド設定における使用事例に特定的な活動および活動パターンの検出のタイムラインを示す。機器の近傍における存在は、必ずしも機器を使用する必要性を示すとは限らない。何故なら、患者が連続的に存在するからである。このような使用事例では、プロセッサは、維持管理プロセスを予定に入れる際に、第２種の活動のみを考慮に入れる。
【００５４】
[0051]  一方、図６は、医者の事務所の設定における使用事例に特定的な活動および活動パターンの検出を示す。例えば、開始した検査を完了するために、存在を超えて(beyond presence)機器が使用されることもある。
【００５５】
[0052]  図７は、曜日に基づく活動パターンの異なる粒度を示し、土曜日では使用回数が少なく、日曜日には使用されないことを示す。
[0053]  更に他の実施形態によれば、プロセッサは、第２活動グループと繰り返し関連付けられる、検出可能な特徴を判定するように構成される（存在するが機器の使用はない）。例えば、プロセッサは、特定の色および／または形の衣服／制服を着用した人が機器の周囲に存在しても、決してそれを使用しないことを判定する（例えば、清掃員）。他方で、プロセッサは、異なる色および／または形の衣服／制服を着用した人が機器の周囲に存在するときは、常に機器を使用することを判定する（例えば、実験室技師、看護師）。
【００５６】
[0054]  次いで、プロセッサは、第２活動グループと繰り返し関連付けられるこのような特性を有する第２グループの活動のその後の検出を無視することによって、診断機器の使用確率を計算する。これによって、実験室機器は、機器の周囲において活動があるが、その活動が機器の使用を必要としない時点／時間間隔において（高い確率で）、維持管理活動を実行することができる。
【００５７】
[0055]  また、検出された活動と関連付けられた人の顔面特徴（例えば、顔面ＩＤ）も、例えば、実験室機器の実際のユーザである要員の顔面特徴を含むデータベースと関連付けて、使用してもよい。
【００５８】
[0056]  また、検出ユニットの信号の処理に基づく、正しい特徴の判定を改善するため、または機器の使用の正しい確率を常に高めるために、機械学習技法を採用してもよい。
[0057]  これより図８に移り、複数の診断機器に跨がる活動および活動パターンの検出、ならびに維持管理の時差予定策定(staggered scheduling)について説明する。複数の機器を有する健康管理環境を最適化するために、複数の診断機器の近傍における活動を検出し、複数の診断機器に関して検出された活動を処理することによって活動パターンを判定するために、中央制御ユニットを採用する。患者の検査に利用できる診断機器がないという状況を防止するために、中央制御ユニットは、全ての機器が同時に維持管理プロセスを実行することを避けるように、複数の診断機器の維持管理プロセスを予定に入れる。
【００５９】
[0058]  誤った活動パターンが適用されるのを回避するために、本明細書において開示する更に他の実施形態によれば、機器は、その機器が再配置されたときには活動パターンがリセットされるように構成される。
【００６０】
[0059]  図９は、開示した診断機器１について、生体試料を分析するための実施形態の非常に概略的な図を示す。診断機器１は、生体試料における１つ以上の検体（１つまたは複数）の存在、不在、および／または濃度を判定するために、生体試料に対して１つ以上の分析処理ステップを実行するように構成された分析ユニット（１２）を含む。更に、診断機器１は、診断機器（１）の近傍における存在、動き、および／または活動を検出するように構成された検出ユニット（１４）を備えるか、またはこれに接続される。また、診断機器１は、本明細書において開示した方法の内任意のものにしたがって、方法を実行するように構成された制御ユニット（１６）も備えるか、またはこれに接続される。
【００６１】
[0060]  本明細書において開示した実施形態によれば、検出ユニット（１４）は、以下の内１つ以上を備える。
−動きセンサ、
−近接センサ（ＲＡＤＡＲまたはＬＩＤＡＲのような）、
−画像／ビデオ・キャプチャ・デバイス＋画像分析、
−光度センサ、
−マイクロフォン、
−機器のユーザ・インターフェースへの接続。
【００６２】
[0061]  図１０は、生体試料を分析するための複数の診断機器１．１〜１．ｎを備える分析システム５０を示す。各診断機器１．１〜１．ｎは、生体試料における１つ以上の検体（１つまたは複数）の存在、不在、および／または濃度を判定するために、生体試料に対して１つ以上の分析処理ステップを実行するように構成された分析ユニット１２を備える。更に、分析システム５０は、複数の診断機器１．１〜１．ｎの近傍における操作員の存在、動き、および／または活動を検出するように構成された１つ以上の検出ユニット（１つまたは複数）１４も備える。中央制御ユニット６０が、複数の診断機器１．１〜１．ｎおよび１つ以上の検出ユニット（１つまたは複数）１４に通信可能に接続されている。制御ユニット６０は、本明細書において開示した方法の内任意のものを実行するように構成される。
【００６３】
[0062]  更に、本開示は、命令を含むコンピュータ・プログラム製品に関し、診断機器のプロセッサによって命令が実行されると、本明細書において開示した方法の内任意のものにしたがって、診断機器にステップを実行させる。
【００６４】
[0063]  更に、本開示は、命令を含むコンピュータ・プログラム製品に関し、生体試料を分析するための複数の診断機器を備える分析システムの中央制御ユニットによって命令が実行されると、本明細書において開示した方法の内任意のものにしたがって、分析システムにステップを実行させる。
【００６５】
[0064]  本明細書において使用する場合、コンピュータ・プログラム製品とは、取引可能な製品としてのプログラムを指す。この製品は、通常、ダウンロード可能なファイルにおいて、構内または遠隔地（クラウド）に配置されたコンピュータ読み取り可能データ担体上にというように、任意のフォーマットで存在することができる。具体的には、コンピュータ・プログラム製品をデータ・ネットワーク上で分散させることもできる（クラウド環境というように）。更に、コンピュータ・プログラム製品だけでなく、実行ハードウェアも構内またはクラウド環境内に配置することができる。
【符号の説明】
【００６６】
１  診断機器
１２  分析ユニット
１４  検出ユニット
１６  （機器の）プロセッサ
５０  分析システム
６０  中央制御ユニット
ステップ１０２  試料を受け入れ、識別する
ステップ１０４  活動を検出する
ステップ１０５  使用確率を判定する
ステップ１０６  活動パターンを判定する
ステップ１０８  維持管理を予定に入れる
ステップ１１０  目標機器によって試料を処理する
ステップ１１２  維持管理を実行する
【図１】
2020180966.tif 000003
【図２】
2020180966.tif 000004
【図３】
2020180966.tif 000005
【図４】
2020180966.tif 000006
【図５】
2020180966.tif 000007
【図６】
2020180966.tif 000008
【図７】
2020180966.tif 000009
【図８】
2020180966.tif 000010
【図９】
2020180966.tif 000011
【図１０】
2020180966.tif 000012
【外国語明細書】
2020180966000001.pdf